(57)【要約】配電系統の最終部分を用いて、住宅への高速通信を提供する。集合ポイントが中電圧電力線と駐留ポイントを接続している。電力線ブリッジが中電圧電力線と低電圧電力線の間で配電用変圧器をまたいで通信信号が流れるのを可能にしている。
2004512702.tif 000002
【特許請求の範囲】
【請求項１】
中電圧電力線を経由して駐留ポイント（ｐｏｉｎｔ ｏｆ ｐｒｅｓｅｎｃｅ）（ＰＯＰ）に加入者の通信機器のデータ・サービス接続を行うシステムで、その加入者の通信機器が、変圧器を介して中電圧電力線に接続している低電圧電力線を経由して電力を供給されている加入者位置に位置していて、そのシステムが、
中電圧電力線をＰＯＰに接続するのに適合した集合ポイント（ａｎ ａｇｇｒｅｇａｔｉｏｎ ｐｏｉｎｔ）（ＡＰ）、
低電圧電力線と中電圧電力線の間で通信信号を流せるように、変圧器の低電圧側と変圧器の中電圧側の間を接続するのに適合した電力線ブリッジ（ＰＬＢ）、および、
加入者の通信機器と加入者位置に電力を供給している低電圧電力線の間を接続するのに適合した電力線インターフェース装置（ＰＬＩＤ）
を具備し、
ＰＯＰへ加入者の通信機器のデータ・サービス接続を行うことがＰＬＩＤ、低電圧電力線、ＰＬＢ、中電圧電力線、および、ＡＰの組合わせにより達成されるシステム。
【請求項２】
ＡＰが、
ＰＯＰに接続するのに適合した復路インターフェース、
ＰＯＰと中電圧電力線の間で電力を絶縁するために接続した絶縁装置、
復路インターフェースと絶縁装置の間を接続する中電圧モデム、
中電圧の電力を通さないが、通信信号を通すように絶縁装置に接続され、かつ、中電圧電力線に絶縁装置を接続するのに適合した中電圧カプラー、
から成ることを特徴とする請求項１の加入者の通信機器をＰＯＰに接続するためのシステム。
【請求項３】
ＰＬＢが、
データ・ルーター、および、
低電圧電力線を中電圧電力線から電気的に絶縁するための１以上の絶縁装置、から成ることを特徴とする請求項１の加入者の通信機器をＰＯＰに接続するためのシステム。
【請求項４】
その１以上の絶縁装置が第一の絶縁装置と第二の絶縁装置から成り、その第一の絶縁装置が、データ・ルーターと中電圧電力線の間で電力を絶縁するように接続され、その第二の絶縁装置がデータ・ルーターと低電圧電力線の間で電力を絶縁するように接続されていることを特徴とする請求項３の加入者の通信機器をＰＯＰに接続するためのシステム。
【請求項５】
さらに、ＰＬＢが、
データ・ルーターと第一の絶縁装置の間を接続し、中電圧電力線のチャンネル特性に適合した変調と復調を行うのに適合した中電圧モデム、
中電圧の電力を通さず、通信信号を通すように、第一の絶縁装置に接続され、かつ、中電圧電力線に第一の絶縁装置を接続するのに適合した中電圧カプラー、
データ・ルーターと第二の絶縁装置の間を接続し、低電圧電力線のチャンネル特性に適当な変調と復調を行うのに適合した低電圧のモデム、および、
低電圧の電力を通さずに、通信信号を通すように、第二の絶縁装置に接続し、第二の絶縁装置を低電圧電力線に接続するのに適合した低電圧カプラー、
から成ることを特徴とする請求項４の加入者の通信機器をＰＯＰに接続するためのシステム。
【請求項６】
中電圧電力線を駐留ポイントに接続するための集合ポイントで、
駐留ポイントに接続するのに適合した復路インターフェース、
駐留ポイントと中電圧電力線の間で電力を絶縁するために接続された絶縁装置、
復路インターフェースと絶縁装置の間に接続された中電圧モデム、
中電圧の電力を通さず、通信信号を通すために、絶縁装置に接続し、かつ、絶縁装置を中電圧電力線に接続させるのに適合した中電圧カプラー、
から成る集合ポイント。
【請求項７】
低電圧電力線と中電圧電力線の間で通信信号が流れるようにするための電力線ブリッジで、その低電圧電力線が変圧器の低電圧側に接続され、中電圧電力線が変圧器の中電圧側に接続されていて、
データ・ルーター、および、
低電圧電力線から中電圧電力線を電気的に絶縁するための１以上の絶縁装置、から成る電力ブリッジ。
【請求項８】
その１以上の絶縁装置が、第一の絶縁装置と第二の絶縁装置から成り、第一の絶縁装置がデータ・ルーターと中電圧電力線の間で電力を絶縁するように接続され、第二の絶縁装置がデータ・ルーターと低電圧電力線の間で電力を絶縁するように接続されていることを特徴とする請求項７の電力線ブリッジ。
【請求項９】
さらに、その電力線ブリッジが、
データ・ルーターと第一の絶縁装置の間に接続され、中電圧電力線のチャンネル特性に適合した変調と復調を行うのに適合した中電圧モデム、
中電圧の電力を通さず、通信信号を通すように第一の絶縁装置に接続し、かつ、第一の絶縁装置を中電圧電力線に接続させるのに適合した中電圧カプラー、
データ・ルーターと第二の絶縁装置の間に接続され、低電圧電力線のチャンネル特性に適合した変調と復調を行うのに適合した低電圧モデム、および、
低電圧の電力を通さず、通信信号を通すように第二の絶縁装置に接続し、かつ、第二の絶縁装置を低電圧電力線に接続させるのに適合した低電圧カプラー、
から成ることを特徴とする請求項８の電力線ブリッジ。
【発明の詳細な説明】
【０００１】
［産業上の利用分野］
本発明は一般的にはデジタル通信の分野に関する。特に、本発明は電力線を経由したデジタル通信の伝送に関する。
【０００２】
［従来の技術及びその課題］
図１を参照すると、半ループ１０を有する典型的な電力の配電系統が示されている。これらの半ループ１０には変電所からの中電圧（ＭＶ）の電力が供給されている。中電圧とは数十キロボルトの範囲である。典型的な構成では中電圧の電力を低電圧（ＬＶ）の電力に低下させる変圧器２０を有する。低電圧とは１００から２４０ボルトの交流である。各変圧器２０は典型的に数軒の顧客３０に低電圧の電力を供給する。
【０００３】
半ループ１０にはケーブルを用いていて、そのケーブルは地下または空中のケーブルである。地下ケーブルはパッド取付の変圧器に供給し、空中ケーブルは柱上変圧器に供給する。変圧器２０は中電圧から低電圧に低下させる。これらの変圧器２０は非常に低い周波数（典型的に５０−６０Ｈｚ）で動作するように設計されていて、（１００ＫＨｚを超える）高周波は通過できない。各変圧器２０は数軒の家庭用電力量計３２に供給していて、電力量計は典型的には屋外に取付けられている。屋内では、ブレーカー・パネル３４に集中された配電網がアウトレット３６に電力を供給している。
【０００４】
必要なことは、コスト効果の高い方法で住居に高速通信を送るのにこの形態を用いる方法である。そのような通信システムの用途には高速インターネット、電話、テレビ会議、画像伝送が含まれる。
【０００５】
【課題を解決するための手段】
本発明の目的は、中電圧または低電圧の配線形態を経由して高速通信を行うことである。
【０００６】
本発明の別の目的は、中電圧または低電圧の配線形態を経由して高速インターネット・サービスを提供することである。
【０００７】
本発明の別の目的は、中電圧または低電圧の配線形態を経由して電話およびファックス・サービスを提供することである。
【０００８】
本発明の別の目的は、中電圧または低電圧の配線形態を経由してテレビ会議のサービスを提供することである。
【０００９】
本発明の別の目的は、中電圧または低電圧の配線形態を経由して画像伝送を行うことである。
【００１０】
本発明の別の目的は、中電圧または低電圧の配線形態を経由して家庭用および事業用のセキュリティ・サービスを提供することである。
【００１１】
本発明は住居への高速通信のために、配電系統の最終部分を用いる手段である。集合ポイント（Ａｇｇｒｅｇａｔｉｏｎ Ｐｏｉｎｔ）は駐留ポイント（Ｐｏｉｎｔ ｏｆ Ｐｒｅｓｅｎｃｅ）と中電圧電力線を接続している。そして、電力線ブリッジにより中電圧電力線と低電圧電力線の間で配電用変圧器をまたぐ通信信号の流れを可能にしている。
【００１２】
本発明の別の目的と利点は添付図面と関連させて以下の詳細説明で明らかになるであろう。
【００１３】
【実施例】
本発明に基づくと、高速通信用に構成したとき、電力の送電系統は以下の３系統の通信チャンネルに分割される。
【００１４】
１．中電圧（ＭＶ）の半ループ
２．変圧器から家庭までの低電圧接続
３．家庭内の配線
図２を参照すると、通信の伝送のために既存の配電系統に加えた変更が示されている。
【００１５】
第一のチャンネル（中電圧ケーブル）１０は最小量のノイズと最小量の反射を有している。このチャンネルは通信のための最高の電位バンド幅を有している。他のチャンネルからの全てのバンド幅を集中させているチャンネルなので、このことは重要である。このチャンネルで用いる信号のタイプは通信に用いられるほぼ全ての信号にしうる（いくつか列挙するとＣＤＭＡ、ＴＤＭＡ、ＦＤＭ、ＯＦＤＭ）。スペクトル領域で比較的平坦なＣＤＭＡのような広帯域の信号が他のシステムへの放射性妨害波を最小限にでき、その一方で、高いデータ・レートを伝送できるので好ましい。第一のチャンネルはＡＰ（集合ポイント）１１０から供給される。
【００１６】
図３を参照すると、本発明の実施例に基づくＡＰのブロック線図が示されている。ＡＰ３００は駐留ポイント（ＰＯＰ）を経由して、外部の世界と通信を行う。ＰＯＰへの復路は、光ファイバー、銅線または無線リンクのような任意のタイプの技術を使用できる。復路インターフェース３１０は外部の世界を中電圧モデム３２０に接続する。中電圧モデム３２０はデータを変調・復調することにより中電圧ケーブル上を伝送できるようにする。この系統に存在する電圧が比較的高いので、追加の安全手段として絶縁装置３３０が用いられる。好ましい絶縁装置の構成はフォトカプラーに基づくものである。中電圧カプラー３４０は、中電圧電線からＡＰ回路の残りの部分３１０、３２０、３３０に中電圧の電力が流れるのを防止し、その一方で、中電圧の電線からＡＰ３００に、または、その逆方向に通信信号が流れるようにするために用いられる。
【００１７】
第二のチャンネル（変圧器から家庭への低電圧接続）および第三のチャンネル（家庭内の配線）は電気機器から、および配線「網」による反射からノイズが存在する。これらのチャンネルは中電圧（第一）のチャンネルよりも低いバンド幅をサポートできる。そして、それらはよりインテリジェント（すなわち、よりオーバーヘッド（ｏｖｅｒｈｅａｄ））な変調方式を必要とする。Ａｄａｐｔｉｖｅ Ｎｅｔｗｏｒｋｓ （Ｎｅｗｔｏｎ， Ｍａｓｓ．）， Ｉｎａｒｉ （Ｄｒａｐｅｒ， Ｕｔａｈ）， Ｉｎｔｅｌｌｉｏｎ （Ｏｃａｌａ， Ｆｌａ．）， ＤＳ２ （Ｖａｌｅｎｃｉａ， Ｓｐａｉｎ）， Ｉｔｒａｎ （Ｂｅｅｒ−Ｓｈｅｖａ， Ｉｓｒａｅｌ）のようなＬＡＮ（ローカル・エリア・ネットワーク）用に良好な通信を行えるチップ・セットを有しているいくつかの会社がある。これらのデバイスは低電圧チャンネルで十分機能するだろう。
【００１８】
図４を参照にすると、本発明の実施例に基づく電力線ブリッジ（ＰＬＢ）のブロック線図が示されている。示されているＰＬＢ４００は変圧器の一次側にある中電圧の電線、および、変圧器の二次側にある低電圧の電線の間でインターフェースになっている。中電圧カプラー４１０を用いて、中電圧の電力がＰＬＢ回路の残りの部分に流れるのを防止し、その一方で、中電圧電力線からＰＬＢ４００へ、また、その逆方向で通信信号が流れるようにしている。系統内に存在する電圧が比較的高いことを考えて、中電圧絶縁装置４２０を追加の安全手段として用いている。好ましい絶縁装置４２０の構成ではフォトカプラーを用いている。中電圧モデム４３０がデータの変調／復調をして、中電圧ケーブル上を伝送できるようにする。
【００１９】
中電圧モデム４３０から、また、それへのデータがデータ・ルータ４４０に流れる。データ・ルータ４４０の機能は低電圧側の全てのデバイスからパケットを優先的に集めて、中電圧側に送ることである。低電圧モデム４５０がデータの変調／復調をして、低電圧の電線で伝送できるようにする。上記のように、この機能では電力線ＬＡＮ用チップ・セット技術を用いている。低電圧絶縁装置４６０および低電圧カプラー４７０が、中電圧絶縁装置４２０および中電圧カプラー４１０と同じ機能を果たすが、低電圧側にある。
【００２０】
変圧器の低電圧側では、ＰＬＢ１２０が、顧客位置１３０にある電力線インターフェース装置（ＰＬＩＤｓ）１３６と通信をする。ＰＬＩＤ　１３６は加入者の機器１３８、１３９に対する種々のインターフェースを持つことができる。一部の例には、ＲＪ−１１ Ｐｌａｉｎ Ｏｌｄ Ｔｅｌｅｐｈｏｎｅ Ｓｅｒｖｉｃｅ （ＰＯＴＳ）， ＲＳ−２３２， ＵＳＢ， １０ Ｂａｓｅ−Ｔである。加入者は同じ内部配線上で多数のＰＬＩＤｓ　１３６を持つことができる。
【００２１】
ここに開示されたシステムは１０Ｍｂｐｓで住居市場にデータ・サービスを提供するのに有用である。これは全く新しい用途分野を実際的に利用できるようにする。電力線に接続した各デバイスは（希望する場合）アドレスを持ち、遠方からアクセスできる。一部の例には、電力・ガス・水道のメーターの遠隔読みとり、インターネット・プロトコール（ＩＰ）ベースのステレオ・システム、ＩＰベースの画像伝送システム、ＩＰ電話が含まれる。
【００２２】
本発明は好ましい実施例に基づいて説明されている。しかしながら、本発明の範囲から逸脱せずに、示された実施例に種々の変更および改良を行えることを理解できよう。
【図面の簡単な説明】
【図１】
典型的な電力の配電系統の形態を示す。
【図２】
本発明の実施例に基づく通信を行うように変更した配電系統の形態を示す。
【図３】
本発明の実施例に基づく集合ポイントのブロック線図を示す。
【図４】
本発明の実施例に基づく電力線ブリッジのブロック線図を示す。
【図１】
2004512702.tif 000003
【図２】
2004512702.tif 000004
【図３】
2004512702.tif 000005
【図４】
2004512702.tif 000006
【国際公開パンフレット】
2004512702.tif 000007
2004512702.tif 000008
2004512702.tif 000009
2004512702.tif 000010
2004512702.tif 000011
2004512702.tif 000012
2004512702.tif 000013
2004512702.tif 000014
2004512702.tif 000015
2004512702.tif 000016
2004512702.tif 000017
2004512702.tif 000018
2004512702.tif 000019
2004512702.tif 000020
【国際公開パンフレット（コレクトバージョン）】
2004512702.tif 000021
2004512702.tif 000022
【国際調査報告】
2004512702.tif 000023
2004512702.tif 000024